(57)【要約】【課題】洗浄機へ容易に装着できるレーザーポインタを提供する。【解決手段】レーザーポインタ（１０）は、第１端部に雄ねじ（１１ａ）を有し、第２端部に照射穴（１３）とケーブル穴（２５）とを有するボディ（１１）と、ボディ（１１）の内部に配置される円筒状のレーザー室（３１）であって、第１端部が開口したレーザー室（３１）と、レーザー室（３１）に設けられ、照射穴（１３）からレーザーを照射するレーザー発振器（２６）と、ケーブル穴（２５）を介して、ボディ（１１）の外部からレーザー発振器（２６）に電源を供給するケーブル（１５）と、を有する。【選択図】図４
2020030278.tif 000002
【特許請求の範囲】
【請求項１】
第１端部に雄ねじを有し、第２端部に照射穴とケーブル穴とを有するボディと、
前記ボディの内部に配置される円筒状のレーザー室であって、前記第１端部が開口したレーザー室と、
前記レーザー室に設けられ、前記照射穴からレーザーを照射するレーザー発振器と、
前記ケーブル穴を介して、前記ボディの外部から前記レーザー発振器に電源を供給するケーブルと、
を有するレーザーポインタ。
【請求項２】
第１端部に雄ねじを有し、第２端部に照射穴を有し、外周面にケーブル穴を有するボディと、
前記ボディの内部に配置される円筒状のレーザー室であって、前記第１端部が開口したレーザー室と、
前記レーザー室に設けられ、前記照射穴からレーザーを照射するレーザー発振器と、
前記ケーブル穴を介して、前記ボディの外部から前記レーザー発振器に電源を供給するケーブルと、
を有するレーザーポインタ。
【請求項３】
前記ボディは、外周面に周方向に均等に配置される調整ねじ穴であって、前記ボディの外周面から前記レーザー室に貫通する調整ねじ穴を有し、
前記調整ねじ穴にねじ込まれ、前記レーザー発振器を支持する調整ねじと、
を有する請求項１又は２に記載のレーザーポインタ。
【請求項４】
前記ボディは、外周面に周方向に均等に配置される３つ又は４つの前記調整ねじ穴を有する、請求項３に記載のレーザーポインタ。
【請求項５】
前記ボディは、前記照射穴の軸方向に並んで配置される２つの前記調整ねじ穴を有する、請求項３又は４に記載のレーザーポインタ。
【請求項６】
前記照射穴は、前記雄ねじと同軸である、請求項１〜５のいずれかに記載のレーザーポインタ。
【発明の詳細な説明】
【技術分野】
【０００１】
本発明は、洗浄機用のレーザーポインタに関する。
【背景技術】
【０００２】
洗浄機のノズルから噴射される洗浄液が対象物と衝突する位置を確認するため、レーザーポインタが利用される。
例えば、従来のレーザーポインタは、光が通過する開口を有する本体ケースと、本体ケースの外周面中央に設けられた第一のねじ部と、第一のねじ部よりも径の小さい第二のねじ部と、本体ケースに内蔵されて光を発生させる励起光発生機と、バッテリーと、励起光発生機から照射した光を透過又は収束する凸レンズと、凸レンズを透過又は収束した光を十文字形に出力する十文字出力パーツと、レンズ枠体とを有する（特許第６０３０８０２号、以下、特許文献１）。
【発明の概要】
【発明が解決しようとする課題】
【０００３】
特許文献１のレーザーポインタは、電源ケーブルを背面から通してバッテリーに接続するため、洗浄機への取り付けが困難である。
本発明は、洗浄機へ容易に装着できるレーザーポインタを提供することを目的とする。
【課題を解決するための手段】
【０００４】
第１の観点のレーザーポインタは、
第１端部に雄ねじを有し、第２端部に照射穴とケーブル穴とを有するボディと、
前記ボディの内部に配置される円筒状のレーザー室であって、前記第１端部が開口したレーザー室と、
前記レーザー室に設けられ、前記照射穴からレーザーを照射するレーザー発振器と、
前記ケーブル穴を介して、前記ボディの外部から前記レーザー発振器に電源を供給するケーブルと、
を有する。
第２の観点のレーザーポインタは、
第１端部に雄ねじを有し、第２端部に照射穴を有し、外周面にケーブル穴を有するボディと、
ボディの内部に配置される円筒状のレーザー室であって、第１端部が開口したレーザー室と、
レーザー室に設けられ、照射穴からレーザーを照射するレーザー発振器と、
ケーブル穴を介して、ボディの外部からレーザー発振器に電源を供給するケーブルと、
を有する。
【発明の効果】
【０００５】
本発明のレーザーポインタによれば、洗浄機へ容易に装着できる。
【図面の簡単な説明】
【０００６】
【図１】実施形態のレーザーポインタを装着可能な洗浄機
【図２】実施形態のレーザーポインタを装着した洗浄機
【図３】実施形態のレーザーポインタのボディの左側面図
【図４】図３のIV−IV線断面図
【図５】変形例のレーザーポインタ
【発明を実施するための形態】
【０００７】
図１に示すように、洗浄機１は、ノズルブロック（以下、「ブロック５」という。）、ノズル７、ジグ２、移動装置４及び制御装置６を有する。対象物３は、ジグ２に固定される。例えば、制御装置６は数値制御装置であり、制御装置６は移動装置４を数値制御する。移動装置４はブロック５を対象物３に対して相対的にＸＹＺ方向に移動させる。ブロック５は、一つ以上（本実施形態では３つ）のノズル７を有する。ノズル７は、洗浄液を噴射する。ノズル７が対象物の洗浄部位３ａに対向するように、移動装置４はブロック５を移動する。
【０００８】
図２に示すように、レーザーポインタ（以下、「ポインタ１０」という。）は、ノズル７に替えてブロック５に装着される。ポインタ１０は、ボディ１１、照射穴１３、ケーブル１５、電源１７及びレーザー発振器（以下、「発振器２６」という。図４参照）を有する。ポインタ１０は、調整ねじ（以下、「ねじ２１」という。）を有してもよい。
【０００９】
図３及び図４に示すように、ボディ１１は、雄ねじ１１ａ、レーザー室３１、照射穴１３及びケーブル穴２５を有する。ボディ１１は、調整ねじ穴２３を有してもよい。
ボディ１１は軸１１ｄを中心とする円筒状であり、第１端部（図４の右側）に雄ねじ１１ａを有する。ボディ１１は、ノズル７と実質的に同じ寸法を有する。雄ねじ１１ａは軸１１ｄと同軸であり、平行ねじ又はテーパねじである。雄ねじ１１ａは、ブロック５の雌ねじ５ａにねじ込まれる。ボディ１１の円筒面１１ｃはローレット加工されてよい。
なお、ボディ１１は多角柱でもよい。
【００１０】
レーザー室３１は、ボディ１１の第１端部に配置され、第１端部が開口している。レーザー室３１は、円筒状である。レーザー室３１は、ボディ１１と同軸である。照射穴１３は、ボディ１１の第２端部（図４の左側）に形成される。照射穴１３は、雄ねじ１１ａと同軸であり、レーザー室３１に貫通する。ケーブル穴２５は、ボディ１１の第１端部からレーザー室３１に貫通する。
【００１１】
ケーブル穴２５の開口２５ａは、ボディ１１の第２端部の端面１１ｂに形成される。望ましくは、ケーブル穴２５の断面は長穴（スロット穴）である。断面視で、長穴は円周方向に延びる。好ましくは、図３に示すように、スロット穴である開口２５ａは、軸１１ｄを中心とする円弧に沿って延びる。図４に示すように、ケーブル穴２５は縦断面において、緩やかなＳ字のカーブ形状を有する。ケーブル穴２５の横断面形状は開口２５ａから第１端部にかけて一定である。好ましくは、第１端部側において、ケーブル穴２５は軸１１ｄと平行に延びる。ケーブル穴２５は、第１端部においてレーザー室３１の円周面から若干外側に膨らむように接して、レーザー室３１と接続する。ケーブル穴２５は、好ましくは雄ねじ１１ａの谷よりも中心寄りに設けられる。長穴断面のケーブル穴２５は平形ケーブルに適合する。
【００１２】
発振器２６は、レーザーダイオード（以下、「ダイオード２９」という。）、レンズ３５、電気端子（以下、「端子３０」という。）を有する。発振器２６は円筒形状である。ダイオード２９は、例えば、半導体レーザーである。ダイオード２９は、発振器２６の中心軸２６ａ上にレーザーを発振する。レンズ３５の光軸は、中心軸２６ａと同軸である。端子３０は、第１端部側の発振器２６の端部に設けられる。ダイオード２９が発振したレーザー３７は、レンズ３５の光軸を通って実質的に平行な光線となって照射穴１３から照射される。
【００１３】
電源１７は、発振器２６に電源を供給する。電源１７は、レーザーダイオードの昇圧回路を有してもよい。
ケーブル１５は、端子３０と電源１７を接続する。ケーブル１５は、ケーブル穴２５を介してボディ１１の内部に挿入される。また、ケーブル１５は、ボディ１１の第２端部から引き出される。第１端部側において、ケーブル１５は中心方向に曲げられ、端子３０に接続する。好ましくは、ケーブル１５は、端子３０との接続部分を含めてレーザー室３１からはみ出さない。好ましくは、ケーブル１５は、２芯又は３芯の平形ケーブルである。平形ケーブルは、断面視でケーブル穴２５を円周方向に広がるため、半径方向の高さを抑制できる。このため、平形ケーブルであるケーブル１５と長穴断面のケーブル穴２５の組み合わせにより、ボディ１１を小型化できる。
【００１４】
軸２６ａは軸１１ｄと同一である。発振器２６は、レーザー室３１に嵌合して挿入されてよい。
【００１５】
好ましくは、軸２６ａが軸１１ｄと同一になるように、調整機構が設けられる。
図４に示すように、レーザー室３１の直径Ｄ１は、発振器２６の直径Ｄ２よりもわずかに大きい。そのため、発振器２６の設置位置はレーザー室３１内で調整できる。
ボディ１１の円筒面１１ｃには、半径方向に延びてレーザー室３１に貫通する複数の調整ねじ穴（以下、「ねじ穴２３」という。）が形成される。ねじ穴２３は周方向に均等に配置される。好ましくは、ねじ穴２３は円周方向に３つ又は４つ配置される。図４に示すように、軸１１ｄに沿って２つのねじ穴２３が形成される。すなわち、合計６つ又は８つのねじ穴２３が形成される。回転方向の位相が同一になるように、２列のねじ穴２３が軸１１ｄに沿って並んで配置される。
複数のねじ２１は、それぞれねじ穴２３にねじ込まれる。ねじ２１は、止めねじでも良い。各ねじ２１の先端部は、発振器２６の外周面に接触し、発振器２６を支持する。ねじ２１の突出量に応じて、発振器２６はボディ１１に対して傾斜する。このように、ねじ２１の突出量を調整することにより、レーザー３７の光軸が軸１１ｄに一致するように調整できる。
【００１６】
図２に示すように、ケーブル１５は、ボディ１１の第２端部から引き出されて電源１７と接続する。ケーブル１５は、ブロック５や配管の内部を通らない。そのため、ポインタ１０をブロック５に容易に装着できる。
洗浄機１が対象物３を洗浄する際、ノズル７やブロック５を対象物３やジグ２の隙間に挿入する場合がある。ボディ１１は、ノズル７と実質的に同一の寸法を有する。電源１７は、ノズル７やブロック５の移動を妨げない位置（例えばブロック５の上部）にバンド１９等で固定できる。これにより、ポインタ１０を装着したまま、狭い隙間にもブロック５を挿入できる。たとえわずかな隙間であっても、ノズル７を装着したブロック５を挿入できれば、ノズル７に替えてポインタ１０を装着したブロック５を挿入できる。
【００１７】
（変形例）
図５を参照して、変形例のポインタ１００を説明する。ポインタ１００は、ケーブル穴１２５の形状がポインタ１０と異なる。ポインタ１００の他の構成は実施形態のポインタ１０と同様であるため、説明を省略する。
ケーブル穴１２５は、円筒面１１ｃに開口１２５ａを持つ。開口１２５ａの断面は長穴（スロット穴）である。長穴断面は、円周方向に（図５の紙面に垂直方向に）広がる。開口１２５ａは第２端部よりに配置されてよい。ケーブル穴１２５は、縦断面においてＪ字状である。第１端部側において、ケーブル穴１２５は軸１１ｄに平行に延びる。第２端部側において、ケーブル穴１２５は外側に向けて緩やかにカーブを描く。ケーブル穴１２５は、第１端部側において、レーザー室３１の円周面から若干外側に膨らむように接して、レーザー室３１と接続する。第１端部側において、ケーブル穴１２５の断面は、軸１１ｄを中心とする円周方向に沿って広がる。
ケーブル１５は、開口１２５ａから挿入され、端子３０と接続する。
また、ケーブル１５は、円筒面から引き出される。実施形態のポインタ１０ではケーブル１５が端面１１ｂの第２端部側に飛び出ているため、端面１１ｂと対象物３やジグ２との隙間にケーブル１５を通す必要があった。変形例のポインタ１００によれば、端面１１ｂと対象物３やジグ２との隙間をさらに狭めて移動させることができる。
【符号の説明】
【００１８】
１０、１００  ポインタ（レーザーポインタ）
１１  ボディ
１３  照射穴
１５  ケーブル
２１  ねじ（調整ねじ）
２３  ねじ穴（調整ねじ穴）
２５、１２５  ケーブル穴
２６  発振器（レーザー発振器）
【図１】
2020030278.tif 000003
【図２】
2020030278.tif 000004
【図３】
2020030278.tif 000005
【図４】
2020030278.tif 000006
【図５】
2020030278.tif 000007